(57)【特許請求の範囲】
【請求項１】
海底を転がるドラムと、このドラムの周面に立設されて海底のヒトデを刺衝する複数の捕獲ピンと、海中に浮遊するヒトデを捕集する捕集網と、前記ドラムの中心軸と前記捕集網とを前記ドラムに相対的に回転可能に連結する連結部と、前記ドラムの前記捕集網側の周面における前記捕獲ピンの移動域に介在して設けられ前記捕獲ピンに刺衝されたヒトデを前記捕獲ピンから抜き取る離脱部とを有することを特徴とするヒトデ駆除装置。
【請求項２】
前記離脱部の下部にて前記ドラムの周面と前記捕集網との間に掛け渡されて海中のヒトデを前記捕集網に導く導板を有することを特徴とする請求項１に記載のヒトデ駆除装置。
【請求項３】
前記捕集網の下部に設けられ、前記捕集網と海底との間に隙間を形成する隙間調整部材を有することを特徴とする請求項１又は２に記載のヒトデ駆除装置。
【請求項４】
前記ドラムの中心軸に相対的に回転可能に連結されたタグプレートを有し、このタグプレートを介して船により前記ドラムを牽引することを特徴とする請求項１乃至３のいずれか１項に記載のヒトデ駆除装置。
【請求項５】
前記ドラムの中心軸に設けられ、前記ドラムを回転駆動する駆動部材を有することを特徴とする請求項１乃至３のいずれか１項に記載のヒトデ駆除装置。
【請求項６】
前記離脱部は前記連結部に固定され前記捕獲ピンの移動を阻止しない切欠を有して前記捕獲ピンの移動域に介在する邪魔板であり、この邪魔板は前記捕獲ピンが前記切欠を通過する際に捕獲ピンの下端から前記切欠に入り、上端で前記切欠から抜けるように傾斜していることを特徴とする請求項１乃至５のいずれか１項に記載のヒトデ駆除装置。
【請求項７】
前記導板は前記捕獲ピンが通過する切欠を有し、柔軟性を有していて、前記捕獲ピンに刺衝されたヒトデが前記導板により離脱されないことを特徴とする請求項１乃至６のいずれか１項に記載のヒトデ駆除装置。
【発明の詳細な説明】
【０００１】
【発明の属する技術分野】
本発明は、海底に生息するヒトデを捕獲して駆除するヒトデ駆除装置に関し、特に、貝類が生息する砂地及び小石が多く存在するような沿岸の海底におけるヒトデの駆除に好適なヒトデ駆除装置に関する。
【０００２】
【従来の技術】
従来より、沿岸での再生産漁業の柱として養殖漁業が広く行われており、貝類、特にホタテの地撒きは日本を代表する養殖事業の１つとなっている。しかしながら、貝類の養殖量が増加するほど、この貝類を餌とするヒトデによる食害が多くなっている。近時、アサリ、ホッキ貝及びツブ等の生息海域においてもヒトデによる被害が多発している。
【０００３】
従来行われているヒトデ駆除方法を以下に示す。ヒトデ駆除の方法の１つとして、潜水による方法がある。図９は従来の潜水によるヒトデ駆除方法を示す模式図である。図９に示すように、海底１００上にはヒトデ１０１が生息している。海面上に船１０２を浮かべ、船１０２にはポンプ１０３を搭載する。ポンプ１０３はホース１０４を介して潜水夫１０５に呼吸用空気を供給する。潜水夫１０５は海１０６に潜水してヒトデ１０１を手作業で捕獲し、容器１０７に収納し、船１０２上へ回収することにより、ヒトデ１０１を駆除する。
【０００４】
しかしながら、この潜水によるヒトデ駆除方法には以下のような問題点がある。砂地及び小石等が存在する海底では海水が濁りやすいため、潜水作業ができる日数が少なく、また、日中しか作業ができない。このため、１日に１人の潜水夫が作業できる時間が限られている。更に、ヒトデを人の目で探して採捕するため、作業効率が極めて悪い。
【０００５】
また、モップ状の捕獲器を船で曳くモップ曳きと呼ばれる方法も行われている。図１０は従来のモップ曳きによるヒトデ駆除方法を示す模式図である。モップ状捕獲器１０８は支持部１０９と、この支持部１０９に連結された多数の綱１１０とから構成されている。支持部１０９にはロープ１１１の一端が連結され、ロープ１１１の他端は海上の船１０２に連結されている。船１０２が前進することにより、ロープ１１１を介してモップ状捕獲器１０８を牽引する。これにより、モップ状捕獲器１０８の綱１１０が海底１００を掃き、綱１１０にヒトデ１０１の触手を絡み付かせることによりヒトデ１０１を捕獲する。モップ状捕獲器１０８を一定時間曳いた後、船１０２上に引き上げて人手によりモップ状捕獲器１０８からヒトデ１０１を外して、ヒトデ１０１を回収する。
【０００６】
しかしながら、このモップ曳きによる方法においては、ヒトデは触手が短いため綱に絡みにくく、船によりモップ状捕獲器を曳いてもヒトデの取り残しが多いという問題点がある。また、モップ状捕獲器を船上の引き上げるまでに落下するヒトデが多く、特に、大型のヒトデは質量が大きいため落下する頻度が高い。このため、ヒトデ駆除の効率が悪いという問題点がある。
【０００７】
そこで、ヒトデ駆除作業の効率を向上させるために八尺曳きと呼ばれる方法も行われている。図１１（ａ）乃至（ｃ）は、従来の八尺曳きによるヒトデ駆除方法を示す模式図である。八尺曳きは、ホタテ桁曳きに使用する漁具（通称、八尺と呼ばれている）を使用して海底のヒトデを捕獲する方法である。図１１（ａ）に示すように、八尺１１２はロープ１１１を介して船１０２に連結されている。図１１（ｂ）に示すように、八尺１１２には網１１３が設けられ、網１１３にはフレーム１１４が連結され、フレーム１１４により開口部１１４ａが形成されている。フレーム１１４の下側には多数のピン１１５が設けられている。また、フレーム１１４にはロープ１１１を連結するための支持部１１６が取り付けられている。船１０２がロープ１１１を介して八尺１１２を曳くと、八尺１１２は開口部１１４ａを前方にして海底１００に接しながら移動する。これにより、ヒトデ１０１が開口部１１４ａを介して網１１３内に捕集される。このとき、ピン１１５は海底１００に深さ１０ｃｍ程度まで突き刺さるため、海底１００上に生息するヒトデ１０１を逃さず、ヒトデ１０１を効率良く捕集することができる。八尺１１２を一定時間曳いた後、船１０２上に引き上げて、ヒトデ１０１を回収する。
【０００８】
【発明が解決しようとする課題】
しかしながら、上述の従来の八尺曳きによるヒトデ駆除方法には以下に示すような問題点がある。図１１（ｃ）に示すように、八尺曳きを行うと海底及び深さが約１０ｃｍの土中にいる貝類も全て捕獲されるため、ヒトデ１０１の他に貝類、例えば、海底１００に生息するホタテ１１７、土中に生息するホッキ貝１１８及びアサリ１１９等も同時に捕獲してしまう。このため、他人の漁業権を侵害する等の問題が発生する。また、海底の石等もすべて網１１３に入ってしまうため、少なからず自然破壊を行ってしまうという問題点もある。更に、八尺を曳くためには大きな駆動力が必要となるため、船１０２として大型船を使用せざるを得ず、浅瀬での作業ができないという問題点がある。このため、八尺曳きによるヒトデ駆除は、実行可能な海域が限られている。また、ホタテ等の養殖中には八尺曳きによるヒトデ駆除ができない。従って従来、ホタテの漁場造成時においてのみ八尺曳きを行い、残貝の捕集と同時にヒトデの駆除を行い、その後、ホタテの稚貝を放流している。ホタテの養殖中に発生するヒトデについては、八尺曳きによる駆除は前述の理由により不可能である。
【０００９】
本発明はかかる問題点に鑑みてなされたものであって、海中における人手作業を必要とせず、自然破壊がなく、且つ、貝類を捕獲せずにヒトデのみを効率良く捕獲し駆除するヒトデ駆除装置を提供することを目的とする。
【００１０】
【課題を解決するための手段】
本発明に係るヒトデ駆除装置は、海底を転がるドラムと、このドラムの周面に立設されて海底のヒトデを刺衝する複数の捕獲ピンと、海中に浮遊するヒトデを捕集する捕集網と、前記ドラムの中心軸と前記捕集網とを前記ドラムに相対的に回転可能に連結する連結部と、前記ドラムの前記捕集網側の周面における前記捕獲ピンの移動域に介在して設けられ前記捕獲ピンに刺衝されたヒトデを前記捕獲ピンから抜き取る離脱部とを有することを特徴とする。
【００１１】
本発明においては、ドラムが回転することにより捕獲ピンが海底に生息するヒトデを刺衝して捕獲し、このヒトデが捕獲ピンに保持されたままドラムの回転に伴って離脱部まで搬送され、この離脱部によりヒトデが捕獲ピンから抜き取られる。この後、このヒトデは一旦海中に浮遊した後、捕集網に捕集される。このとき、捕獲ピンは硬い貝類を刺衝しないため、貝類を捕獲することはない。
【００１２】
また、前記離脱部の下部にて前記ドラムの周面と前記捕集網との間に掛け渡されて海中のヒトデを前記捕集網に導く導板を有することが好ましい。これにより、捕獲ピンから離脱し海中に浮遊したヒトデが、海底に落下することを防止することができる。
【００１３】
更に、前記捕集網の下部に設けられ、前記捕集網と海底との間に隙間を形成する隙間調整部材を有することが好ましい。これにより、捕集網が貝類及び小石等を捕集することを防止できる。また、捕集網が海底を引きずられることによる損傷を防止できる。
【００１４】
更にまた、前記ドラムの中心軸に相対的に回転可能に連結されたタグプレートを有し、このタグプレートを介して船により前記ドラムを牽引することができる。
【００１５】
更にまた、前記ドラムの中心軸に設けられ、前記ドラムを回転駆動する駆動部材を有することができる。これにより、ヒトデ除去装置を船により牽引しなくても、自力で走行することができる。
【００１６】
更にまた、前記離脱部は前記連結部に固定され前記捕獲ピンの移動を阻止しない切欠を有して前記捕獲ピンの移動域に介在する邪魔板であり、この邪魔板は前記捕獲ピンが前記切欠を通過する際に捕獲ピンの下端から前記切欠に入り、上端で前記切欠から抜けるように傾斜していてもよい。これにより、この邪魔板が捕獲ピンに刺衝されたヒトデをこの捕獲ピンの先端に向かって押圧し、このヒトデを前記捕獲ピンから抜き取ることができる。
【００１７】
更にまた、前記導板は前記捕獲ピンが通過する切欠を有し、柔軟性を有していて、前記捕獲ピンに刺衝されたヒトデが前記導板により離脱されないことが好ましい。これにより、前記導板を前記捕獲ピンの移動域に配置しても、前記ドラムの回転を妨げることがない。また、捕獲ピンがヒトデを保持している場合においても、ヒトデが前記導板を押圧してこの前記導板を変形させることにより通過することができる。このため、前記導板を前記ドラムの近傍に配置して、ヒトデが海底に落下することを確実に防止することができる。
【００１８】
前記捕獲ピンは、前記ドラムに固定された軸部とこの軸部の先端に設けられたかえし部とから構成されることが好ましい。これにより、捕獲ピンが刺衝したヒトデを確実に保持することができる。
【００１９】
前記ドラムは内部が中空であり、前記ドラムの内部と外部とを連結する開閉可能なプラグを有することができる。これにより、ドラム内に所定量の水を満たすことができ、ドラムの質量を調節することができる。この結果、捕獲ピンが海底に印加する押圧力を調整することができ、貝類を傷つけずにヒトデのみを効率的に捕獲することができる。
【００２０】
更に、一端が前記捕集網の内部に連結され、他端が海面上の船に配置されたポンプに連結されるホースを有していてもよい。これにより、捕集網に捕集されたヒトデを、ホースを介して船上に引き上げることができる。この結果、捕集網のヒトデを船上に回収するためにヒトデ駆除装置を海底から引き上げる必要がなくなり、ヒトデ駆除作業の安全性及び効率が向上する。
【００２１】
【発明の実施の形態】
以下、本発明の実施例について添付の図面を参照して具体的に説明する。先ず、本発明の第１の実施例について説明する。図１は本実施例に係るヒトデ駆除装置の構成を示す側面図、図２はこのヒトデ駆除装置の構成を示す平面図である。
【００２２】
図１及び図２に示すように、本実施例に係るヒトデ駆除装置２０においては、円筒形のドラム１が設けられ、ドラム１の周面には多数の捕獲ピン２が取り付けられている。また、ドラム１の内部は中空になっており、ドラム１の内部と外部とを連結し、ドラム１の内部を気密に保つプラグ１１が２つ設けられている。また、ドラム１の両側には夫々ドラムベアリング部９が設けられている。ドラムベアリング部９には夫々タグプレート８が取り付けられ、タグプレート８はドラム１に対して図１に示す矢印ａの方向に自由に回転可能となっている。タグプレート８には牽引索１４の一端が連結されている。牽引索１４の他端は船１７（図５（ｂ）参照）に連結される。牽引索１４は、ロープ、ワイヤ又はチェーン等により構成されている。
【００２３】
また、ドラムベアリング部９は夫々接続プレート７に連結されている。このため、接続プレート７はドラム１に対して図１に示す矢印ｂの方向に回転可能に連結されている。接続プレート７の形状は略３角形であり、前部、後部及び上部に夫々頂点を持ち、前部の頂点付近にドラムベアリング部９が連結されている。
【００２４】
更に、接続プレート７の後部の頂点付近には、集合網ベアリング部１０が設けられ、集合網ベアリング部１０には集合網フレーム５が連結されている。これにより、集合網フレーム５は、集合網ベアリング部１０を介して接続プレート７に対して、図１に示す矢印ｃの方向に自由に回転可能に連結されている。集合網フレーム５は前方、即ちドラム１に向かう方向に開口部５ａを形成し、この開口部５ａを底辺とし後方に向かって連続的に細くなる略四角錘形状を形成している。この集合網フレーム５が形成する略四角錘における開口部５ａ以外の面には、集合網６が設けられている。集合網フレーム５及び集合網６により捕集網が構成されている。また、集合網フレーム５の下部における前部及び後部には、夫々前部隙間調整板１２及び後部隙間調整板１３が設けられている。
【００２５】
前記略四角錘の下部前面を構成する集合網フレーム５（下フレーム）には、海中のヒトデを前記捕集網に導く導板である落下防止板４が取り付けられており、落下防止板４はその先端側を上方に傾けてドラム１の周面まで延びており、これにより、落下防止板４が集合網フレーム５とドラム１との間に掛け渡されている。落下防止板４は１対の接続プレート７間に、ドラム１の軸方向に沿って集合網フレーム５の前方に全幅に渡って設けられている。
【００２６】
図２に示すように、落下防止板４はドラム１の軸方向に沿って帯状の複数の部分４ａに分割されており、各帯状部分４ａが隣接する辺縁の先端側略半分は、隣接辺縁の１つおきに切り欠かれており、この半分の隣接辺縁により切欠部１６が形成されている。この切欠部１６は捕獲ピン２のドラム軸方向の配列ピッチと同一ピッチで捕獲ピン２に整合する位置に設けられている。これにより、落下防止板４は切欠部１６を介して捕獲ピン２を通過させるようになっている。なお、落下防止板４はプラスチック、ゴム、木材、アルミニウム等の柔軟性を有する材料により構成されている。また、ドラム１の周面のうち落下防止板４との接点におけるドラム１の周方向の接線と落下防止板４の表面とがなす角度は、海底１００側から見て鋭角になっている。
【００２７】
図３（ａ）乃至（ｄ）は本実施例に係るヒトデ駆除装置２０の各部の構成を示す図であり、（ａ）はドラム１及び捕獲ピン２の構成を示す斜視図、（ｂ）及び（ｃ）は捕獲ピン２の構成を示す側面図、（ｄ）は離脱板３の構成を示す斜視図である。図３（ａ）に示すように、捕獲ピン２はドラム１の径方向を向くように取り付けられており、ヒトデ１０１を刺衝して保持するものである。
【００２８】
また、図３（ｂ）に示すように、捕獲ピン２はドラム１に固定された円筒形の軸部２ａと、この軸部２ａの先端に設けられたかえし部２ｂとから構成されている。捕獲ピン２の形状は軸方向に関して点対称である。
【００２９】
更に、図１及び図３（ｄ）に示すように、接続プレート７の上部の頂点付近には離脱板３が取り付けられている。この離脱板３は捕獲ピン２の移動域に介在するように設けられた邪魔板であり、落下防止板４よりも上方に設けられている。離脱板３はドラム１の軸方向に沿って延び、ドラム１の全幅に渡ってドラム１の周面の近傍に配置されており、ドラム１の軸方向に直交する断面が逆Ｖ字形状を有している。更に、離脱板３の下部はドラム１の周面近傍に位置しており、離脱板３には捕獲ピン２を通過させる切欠部１５が設けられている。そして、離脱板３のドラム回転方向の上流側の板部は、捕獲ピン２が切欠部１５を通過する際に捕獲ピン２の下端から切欠部１５に入り、上端で切欠部１５から抜けるように傾斜している。
【００３０】
次に、本実施例に係るヒトデ除去装置の動作について説明する。図４（ａ）及び（ｂ）並びに図５（ａ）及び（ｂ）は本実施例に係るヒトデ除去装置２０の動作を示す側面図である。なお、図４（ａ）、（ｂ）及び図５（ａ）においては、接続プレート７（図１参照）は省略されている。
【００３１】
先ず、図１に示すプラグ１１を開け、ドラム１の内部に所定量の水を充填し、海中において、捕獲ピン２がヒトデのみを刺衝し貝類を傷つけないように、ドラム１の質量を調整する。次に、プラグ１１を閉めた後、ヒトデ除去装置２０を海中に沈め、海底１００上に載置する。次に、牽引索１４を海上に浮かぶ船１７（図５（ｂ）参照）により曳く。これにより、タブプレート８が牽引索１４に引かれ、ヒトデ除去装置２０が前方、即ち集合網フレーム５からドラム１へ向かう方向に、海底１００上を這うように移動する。このとき、ドラム１が海底１００との摩擦力により回転する。
【００３２】
ドラム１が回転しながら海底１００を移動すると、図３（ａ）に示すように、捕獲ピン２が海底にいるヒトデ１０１を刺繍し保持する。ドラム１が回転することにより、捕獲ピン２はヒトデ１０１を保持し、海底より持ち上げる。
【００３３】
次に、図４（ａ）に示すように、ドラム１の回転に伴ってヒトデ１０１が落下防止板４の部分４ａ（図２参照）に当接する。落下防止板４は柔軟性を有するため、ヒトデ１０１が落下防止板４の部分４ａを押圧することにより部分４ａが変形し、ヒトデ１０１は捕獲ピン２に保持されたまま、ヒトデ１０１が当接する前に落下防止板４の部分４ａが占めていた位置を通過することができる。なお、捕獲ピン２がヒトデ１０１を保持していなければ、捕獲ピン２は落下防止板４に接触せずに、切欠部１６を通過することができる。
【００３４】
次に、図４（ｂ）に示すように、ドラム１の回転に伴い、ヒトデ１０１を保持した捕獲ピン２は離脱板３に達する。このとき、捕獲ピン２は離脱板３の切欠部１５（図３（ｄ）参照）を通過するが、ヒトデ１０１は通過できず、離脱板３により捕獲ピン２の先端に向かう方向に押圧され、捕獲ピン２より抜き取られる。これにより、ヒトデ１０１は一旦海中に浮遊し落下する。
【００３５】
次に、図５（ａ）に示すように、ヒトデ１０１は落下防止板４上に落下する。即ち、落下防止板４が設けられていることにより、ヒトデ１０１が海底１００に落下することが防止されている。ヒトデ１０１は落下防止板４上を滑り、スムーズに後方の集合網６に入り捕集される。このようにして、ヒトデ駆除装置２０は海底を移動しながらヒトデ１０１を捕獲していく。
【００３６】
なお、このとき、図１に示すように、タブプレート８はドラムベアリング部９を中心に矢印ａの方向に自由に回転し、接続プレート７はドラムベアリング部９を中心に矢印ｂの方向に自由に回転し、集合網フレーム５は集合網ベアリング部１０を中心に矢印ｃの方向に自由に回転し、また、これらの回転運動は左右独立に行われる。このため、ヒトデ駆除装置２０は、曳航角度の変化並びに横方向の傾斜及び石等の存在による海底１００の凹凸に素早く対応することができ、海底１００上をスムーズに移動することができる。また、集合網フレーム５の下部には前部隙間調整板１２及び後部隙間調整板１３が設けられているため、集合網フレーム５と海底１００との間には隙間が生じ、石及び貝類が集合網６に入ることが防止できると共に、海底１００との摩擦により集合網フレーム５及び集合網６が損傷することを防止できる。
【００３７】
その後、図５（ｂ）に示すように、ヒトデ駆除装置２０を引上げ機１８により船１７上に引き上げ、捕獲したヒトデを回収する。
【００３８】
このように、本実施例のヒトデ駆除装置２０によれば、石及び貝類を捕集せずにヒトデのみを効率的に捕獲することができる。また、ヒトデ駆除装置２０は海底をスムーズに移動することができるため、海底の凹凸によりヒトデ駆除装置２０の移動が妨げられることが少ない。また、海底において人手を要する作業が不要であるため、安全且つ効率的にヒトデ駆除作業を行うことができる。
【００３９】
なお、本実施例においては、捕獲ピン２には図３（ｂ）に示す軸に対して点対称な形状のものを使用したが、捕獲ピンは図３（ｃ）に示すような非対称の形状であってもよい。また、本実施例においては、隙間調整部材として前部隙間調整板１２及び後部隙間調整板１３を使用する例を示したが、本発明においては、隙間調整部材は車輪等、板以外の形態のものであってもよい。更に、タブプレート８と接続プレート７とを相対的に回転しないように固定し、且つ、曳航角度を所定の角度にすることにより、隙間調整部材を設けなくても集合網フレーム５と海底１００との間に隙間を形成することができる。
【００４０】
次に、本発明の第２の実施例について説明する。図６は本実施例におけるヒトデ駆除装置２０ａの動作を示す模式図である。本実施例においては、集合網フレーム５に開閉可能な扉５ｂを設ける。ヒトデ駆除装置２０ａにおける前記以外の構成は、前述の第１の実施例に係るヒトデ駆除装置２０の構成と同じである。
【００４１】
図６に示すように、ヒトデ駆除装置２０ａにより海底のヒトデを捕獲した後、海１０６中において扉５ｂを開け、集合網６中に捕集されたヒトデ（図示せず）を網１９へ移し替える。次に、この網１９を船１７上へ上げ、ヒトデ１０１を回収する。ヒトデ駆除装置２０ａにおける前記以外の動作は、前述の第１の実施例に係るヒトデ駆除装置２０の動作と同じである。
【００４２】
本実施例においては、前述の第１の実施例と比較して、ヒトデを回収するために質量が大きいヒトデ駆除装置２０を船上に上げる必要がないため、より効率的且つ安全にヒトデ駆除作業を行うことができる。
【００４３】
次に、本発明に係る第３の実施例について説明する。図７は本実施例に係るヒトデ駆除装置２０ｂの構成を示す側面図である。図７に示すように、ヒトデ駆除装置２０ｂにおいては、集合網６の内部における最後部にホース２１が取り付けられている。ホース２１は船上に配置されたポンプ（図示せず）に連結されている。ヒトデ駆除装置２０ｂにおける前記以外の構成は、前述の第１の実施例に係るヒトデ駆除装置２０の構成と同じである。
【００４４】
ヒトデ駆除装置２０ｂにおいては、集合網６内に捕集したヒトデ（図示せず）を、ポンプによりホース２１を介して吸引することにより、船上に回収することができる。ヒトデ駆除装置２０ｂにおける前記以外の動作は、前述の第１の実施例に係るヒトデ駆除装置２０の動作と同じである。
【００４５】
本実施例によれば、前述の第１及び第２の実施例と比較して、海底でヒトデ駆除装置２０ｂを移動させながら、ヒトデを連続的に船上へ回収することができるため、より効率的にヒトデ駆除作業を行うことができる。また、ヒトデ駆除装置２０（図５（ｂ）参照）及び網１９（図６参照）を船上に引き上げる必要がないため、作業の安全性もより向上する。
【００４６】
次に、本発明に係る第４の実施例について説明する。図８は本実施例に係るヒトデ駆除装置２０ｃの構成を示す側面図である。図８に示すように、ヒトデ駆除装置２０ｃにおいては、ドラムベアリング部９に油圧モータ２２が連結されている。ヒトデ駆除装置２０ｃにおける前記以外の構成は、前述の第１の実施例に係るヒトデ駆除装置２０の構成と同じである。
【００４７】
ヒトデ駆除装置２０ｃにおいては、油圧モータ２２がドラム１を回転させるため、ヒトデ駆除装置２０ｃは自走することができる。ヒトデ駆除装置２０ｃにおける前記以外の動作は、前述の第１の実施例に係るヒトデ駆除装置２０の動作と同じである。
【００４８】
本実施例によれば、船により牽引索１４（図１参照）を牽引することが不要となる。また、油圧モータ２２による駆動と船による牽引とを併用すれば、凹凸が大きく走行抵抗が大きい海底においても、ヒトデ駆除装置２０ｃを滑らかに走行させることができる。
【００４９】
なお、本実施例においては、船によるヒトデ駆除装置２０ｃの牽引は行っていないが、ヒトデ駆除装置２０ｃの位置を検知するために、ヒトデ駆除装置２０ｃと船とを結ぶ索１４ａは設けている。しかしながら、この索１４ａは省略することが可能である。索１４ａを省略する場合には、無線装置又は浮きブイ等、ヒトデ駆除装置２０ｃの位置を検知する他の手段を設けてもよい。
【００５０】
【発明の効果】
以上詳述したように、本発明によれば、海中における人手作業を必要とせず、石等を捕集しないため自然破壊がなく、貝類を捕獲せずにヒトデのみを効率良く捕獲し駆除するヒトデ駆除装置を得ることができる。
【図面の簡単な説明】
【図１】本発明の第１の実施例に係るヒトデ駆除装置の構成を示す側面図である。
【図２】本実施例に係るヒトデ駆除装置の構成を示す平面図である。
【図３】（ａ）乃至（ｄ）は本実施例に係るヒトデ駆除装置の各部の構成を示す図であり、（ａ）はドラム１及び捕獲ピン２の構成を示す斜視図、（ｂ）及び（ｃ）は捕獲ピン２の構成を示す側面図、（ｄ）は離脱板３の構成を示す斜視図である。
【図４】（ａ）及び（ｂ）は本実施例に係るヒトデ除去装置の動作を示す側面図である。
【図５】（ａ）及び（ｂ）は本実施例に係るヒトデ除去装置の動作を示す側面図であり、図４（ａ）及び（ｂ）の次の動作を示す図である。
【図６】本発明の第２の実施例に係るヒトデ駆除装置の動作を示す模式図である。
【図７】本発明の第３の実施例に係るヒトデ駆除装置の構成を示す側面図である。
【図８】本発明の第４の実施例に係るヒトデ駆除装置の構成を示す側面図である。
【図９】従来の潜水によるヒトデ駆除方法を示す模式図である。
【図１０】従来のモップ曳きによるヒトデ駆除方法を示す模式図である。
【図１１】（ａ）乃至（ｃ）は従来の八尺曳きによるヒトデ駆除方法を示す模式図である。
【符号の説明】
１；ドラム
２；捕獲ピン
２ａ；軸部
２ｂ；かえし部
３；離脱板
４；落下防止板
４ａ；部分
５；集合網フレーム
５ａ；開口部
６；集合網
７；接続プレート
８；タグプレート
９；ドラムベアリング部
１０；集合網ベアリング部
１１；プラグ
１２；前部隙間調整板
１３；後部隙間調整板
１４；牽引索
１４ａ；索
１５；切欠部
１６；切欠部
１７；船
１８；引上げ機
１９；網
２０、２０ａ、２０ｂ、２０ｃ；ヒトデ駆除装置
２１；ホース
２２；油圧モータ
１００；海底
１０１；ヒトデ
１０２；船
１０３；ポンプ
１０４；ホース
１０５；潜水夫
１０６；海
１０７；容器
１０８；モップ状捕獲器
１０９；支持部
１１０；綱
１１１；ロープ
１１２；八尺
１１３；網
１１４；フレーム
１１４ａ；開口部
１１５；ピン
１１６；支持部
１１７；ホタテ
１１８；ホッキ貝
１１９；アサリ
【図１】
0003728560.tif 000002
【図２】
0003728560.tif 000003
【図３】
0003728560.tif 000004
【図４】
0003728560.tif 000005
【図５】
0003728560.tif 000006
【図６】
0003728560.tif 000007
【図７】
0003728560.tif 000008
【図８】
0003728560.tif 000009
【図９】
0003728560.tif 000010
【図１０】
0003728560.tif 000011
【図１１】
0003728560.tif 000012